(57)【要約】【課題】建骨組の構造強度および耐風圧が大きい仮設屋根構造を提供する。【解決手段】施工中の建築物の上方に設置される切り妻形状の仮設屋根構造１であって、棟部材１０と、当該棟部材１０に沿って棟部材１０の側部に配置される母屋部材２０と、当該母屋部材２０に沿って軒先側に配置される軒先部材３０と、棟部材１０に交差する方向に延在する垂木部材５０と、屋根面を覆うビニールフィルム６０とを備えている。棟部材１０は、建築物の周囲に設けられた足場２から吊り下げられ、棟部材１０、母屋部材２０および軒先部材３０は、中空パイプ１１，２１，３１と、当該中空パイプ１１，２１，３１の中に緊張状態で挿入された緊張ワイヤ１２，２２，３２とを備えており、垂木部材５０は、緊張状態で設置された緊張ワイヤ５１にて構成されている。【選択図】図２
2018096120.tif 000002
【特許請求の範囲】
【請求項１】
施工中の建築物の上方に設置される切り妻形状の仮設屋根構造であって、
棟部材と、当該棟部材に沿って前記棟部材の側部に配置される母屋部材と、当該母屋部材に沿って軒先側に配置される軒先部材と、前記棟部材に交差する方向に延在する垂木部材と、屋根面を覆うビニールフィルムとを備えており、
前記棟部材は、前記建築物の周囲に設けられた足場から吊り下げられ、
前記棟部材、前記母屋部材および前記軒先部材は、中空パイプと、当該中空パイプの中に緊張状態で挿入された緊張ワイヤとを備えており、
前記垂木部材は、緊張状態で設置された緊張ワイヤにて構成されている
ことを特徴とする仮設屋根構造。
【請求項２】
前記棟部材と前記母屋部材間には、風圧によって外側に開閉可能な屋根部材が設けられている
ことを特徴とする請求項１に記載の仮設屋根構造。
【請求項３】
前記ビニールフィルムは、農業用ビニール素材からなる
ことを特徴とする請求項１または請求項２に記載の仮設屋根構造。
【請求項４】
前記垂木部材の前記緊張ワイヤには、短尺の固定用パイプが環装されており、
前記ビニールフィルムは、前記固定用パイプを囲う断面Ｃ型の固定部材と、前記中空パイプまたは前記固定用パイプの外周面とで挟まれることで、固定されている
ことを特徴とする請求項３に記載の仮設屋根構造。
【請求項５】
前記棟部材の前記緊張ワイヤは、両端が基礎に接続された状態で緊張されている
ことを特徴とする請求項１乃至請求項４のいずれか１項に記載の仮設屋根構造。
【請求項６】
前記垂木部材の前記緊張ワイヤの上端部は、上方に引き上げられた前記棟部材に係止され、
前記垂木部材の前記緊張ワイヤの下端部は、前記建築物の周囲に形成された足場に係止されている
ことを特徴とする請求項１乃至請求項５のいずれか１項に記載の仮設屋根構造。
【発明の詳細な説明】
【技術分野】
【０００１】
本発明は、仮設屋根構造に関する。
【背景技術】
【０００２】
戸建て住宅等の建物の工事現場において雨養生をするには、従来、足場の上部にパイプで骨組を組んで、その骨組にテント用シートやブルーシートを架け渡して建物を覆うことが多かった（たとえば特許文献１参照）。特許文献１の雨天養生屋根は、複数のシート帯が、一部が重ね合せられた状態で傾斜方向に並べられている。シート帯の下流側端部の一部には、シート帯弛緩部が形成されている。この部分が弛むことでシート帯の重合部で風抜き口が開口して、屋根の下方からの吹上風を逃がすようになっていた。
【先行技術文献】
【特許文献】
【０００３】
【特許文献１】特開２００９−６８２８８号公報
【発明の概要】
【発明が解決しようとする課題】
【０００４】
特許文献１の屋根は、風抜き口から風を逃がすことで屋根面に作用する風圧を低減するようにしてはいるものの、パイプで形成された骨組にテント用シート等を架け渡しているので、骨組の構造強度が小さく、耐風圧が小さいという問題があった。
【０００５】
そこで本発明は、前記の問題を解決するためになされたものであり、骨組の構造強度および耐風圧が大きい仮設屋根構造を提供することを課題とする。
【課題を解決するための手段】
【０００６】
このような課題を解決するための請求項１に係る発明は、施工中の建築物の上方に設置される切り妻形状の仮設屋根構造であって、棟部材と、当該棟部材に沿って前記棟部材の側部に配置される母屋部材と、当該母屋部材に沿って軒先側に配置される軒先部材と、前記棟部材に交差する方向に延在する垂木部材と、屋根面を覆うビニールフィルムとを備えている。前記棟部材は、前記建築物の周囲に設けられた足場から吊り下げられ、前記棟部材、前記母屋部材および前記軒先部材は、中空パイプと、当該中空パイプの中に緊張状態で挿入された緊張ワイヤとを備えている。前記垂木部材は、緊張状態で設置された緊張ワイヤにて構成されている。
【０００７】
このような構成によれば、棟部材、母屋部材および軒先部材が、中空パイプと緊張ワイヤとを備えて構成されているので、中空パイプが座屈し難くなる。したがって、骨組の構造強度を大きくできるとともに、仮設屋根構造の耐風圧を大きくできる。
【０００８】
本発明に係る仮設屋根構造では、前記棟部材と前記母屋部材間には、風圧によって外側に開閉可能な屋根部材が設けられているものが好ましい。このような構成によれば、屋根部材が開くことで下側からの風を外部に逃がすことができるので、耐風圧をより一層大きくすることができる。
【０００９】
また、本発明に係る仮設屋根構造では、前記ビニールフィルムは、農業用ビニール素材からなるものが好ましい。農業用ビニール素材は、たとえばポリオレフィン系フィルム、ポリ塩化ビニル製フィルムまたはフッ素樹脂フィルム等である。なお、農業用ビニール素材は、前記材質に限定されるものではなく、他の材質であってもよい。このような構成によれば、ビニールフィルムの延び量が大きく破れにくいので、耐風圧をより一層大きくすることができる。
【００１０】
さらに、本発明に係る仮設屋根構造では、前記垂木部材の前記緊張ワイヤには、短尺の固定用パイプが環装されており、前記ビニールフィルムは、前記固定用パイプを囲う断面Ｃ型の固定部材と、前記中空パイプまたは前記固定用パイプの外周面とで挟まれることで、固定されているものが好ましい。このような構成によれば、ビニールフィルムを容易に垂木部材に固定することができる。
【００１１】
また、本発明に係る仮設屋根構造では、前記棟部材の前記緊張ワイヤは、両端が基礎に接続された状態で緊張されているものが好ましい。このような構成によれば、棟部材が確実に固定されるので、仮設屋根構造が吹き上げられるのを防止できる。
【００１２】
さらに、本発明に係る仮設屋根構造では、前記垂木部材の前記緊張ワイヤの上端部は、上方に引き上げられた前記棟部材に係止され、前記垂木部材の前記緊張ワイヤの下端部は、前記建築物の周囲に形成された足場に係止されているものが好ましい。このような構成によれば、垂木部材が所望の角度で配置されて緊張される。
【発明の効果】
【００１３】
本発明によれば、骨組の構造強度を大きくできるとともに、仮設屋根構造の耐風圧を大きくできる。
【図面の簡単な説明】
【００１４】
【図１】本発明の実施形態に係る仮設屋根構造の骨組を示した斜視図である。
【図２】本発明の実施形態に係る仮設屋根構造を示した斜視図である。
【図３】本発明の実施形態に係る仮設屋根構造を示した正面図である。
【図４】（ａ）はビニールフィルムの母屋部材への固定状態を示した斜視図、（ｂ）はビニールフィルムの垂木部材への固定状態を示した斜視図である。
【図５】屋根部材の開閉状態を下方から見上げた斜視図である。
【図６】基礎上に仮設屋根構造を組み立てた状態を示した斜視図である。
【図７】基礎上に仮設屋根構造の棟部材を引き上げた状態を示した斜視図である。
【図８】ビニールフィルムを畳んだ状態を示した斜視図である。
【発明を実施するための形態】
【００１５】
本発明の実施形態に係る仮設屋根構造の構成を、図面を参照しながら詳細に説明する。図１および図３に示すように、本実施形態に係る仮設屋根構造１は、施工中の建築物の上方に設置される切り妻形状の屋根であって、雨が建築物にかかるのを抑制するためのものである。仮設屋根構造１は、棟部材１０と母屋部材２０と軒先部材３０と中間部材４０と垂木部材５０とビニールフィルム６０と屋根部材７０とを備えている。なお、切り妻形状とは、仮設屋根構造１の全体が切り妻屋根である必要はなく、一部に切り妻部分ではない部分を含んでいてもよい。
【００１６】
棟部材１０は、切り妻屋根の棟部分に沿って延在する長尺部材である。棟部材１０は、中空パイプ１１と緊張ワイヤ１２とを備えてなる。中空パイプ１１は、農業用のビニールハウスに用いられる鉄製パイプであって、表面に亜鉛メッキ等の防錆加工が施されている。中空パイプ１１の外径は規格化されており、たとえば外径１９ｍｍまたは２２ｍｍのものが用いられている。緊張ワイヤ１２は、金属製の撚り線ワイヤからなり、緊張状態で中空パイプ１１の中に挿入されている。緊張ワイヤ１２は、中空パイプ１１の両端から外側に延出している。延出した緊張ワイヤ１２は、滑車（図示せず）を介して下方に曲げられ垂下している。緊張ワイヤ１２の下端部は、建築物の基礎に接続されている。緊張ワイヤ１２は、手動式のホイスト（図示せず）にて巻き取られて緊張されている。
【００１７】
棟部材１０は、ワイヤ１３を介して建築物の周囲に設けられた足場から吊り下げられている。具体的には、ワイヤ１３は、金属製の撚り線からなり、棟部材１０から上方に延在する縦ワイヤ１３ａと、両側の足場２，２間に架け渡される吊ワイヤ１３ｂとを備えている。縦ワイヤ１３ｂは、棟部材１０と棟部材１０の両端と中間部の三箇所に接続されて、棟部材１０を支持している。縦ワイヤ１３ａの頂部には、リング状のフック（図示せず）が設けられている。フックには、吊ワイヤ１３ｂが挿通されている。フックは、吊ワイヤ１３ｂの中間部に係止されている。縦ワイヤ１３ａのフックには、棟部材１０に沿って棟部材１０の上方に配置された水平ロープ１４も挿通されている。水平ロープ１４は、棟部材１０を吊り上げることで、仮設屋根構造１全体を持ち上げるためのものである。水平ロープ１４は、たとえば繊維製の撚り線からなる。水平ロープの両端部は、棟部材１０の両端部より外側に延在している。延在した水平ロープ１４は、滑車に架け渡され、手動式のホイスト（図示せず）に掻き取られて、棟部材１０を吊り上げる。
【００１８】
母屋部材２０は、棟部材１０に沿って棟部材１０の側部に配置される部材である。母屋部材２０は、棟部材１０の両側にそれぞれ設けられている。母屋部材２０は、棟部材１０に平行で、棟部材１０より低い位置に設けられている。母屋部材２０は、後記する垂木部材５０上に配置され、隣り合う垂木部材５０，５０，５０に架け渡されている。母屋部材２０は、中空パイプ２１と緊張ワイヤ２２とを備えてなる。中空パイプ２１は、中空パイプ１１と同様のものが用いられている。緊張ワイヤ２２は、緊張ワイヤ１２と同様のものが用いられており、緊張状態で中空パイプ２１の中に挿入されている。緊張ワイヤ２２は、中空パイプ２１の両端から外側に延出しており、滑車（図示せず）を介して下方に曲げられ垂下している。緊張ワイヤ２２の下端部は、建築物の基礎に接続されている。緊張ワイヤ２２は、手動式のホイスト（図示せず）にて巻き取られて緊張されている。
【００１９】
軒先部材３０は、母屋部材２０に沿って軒先側に配置される部材である。軒先部材３０は、仮設屋根構造１の両側の軒先にそれぞれ設けられている。軒先部材３０は、母屋部材２０および棟部材１０に平行で、母屋部材２０より低い位置に設けられている。軒先部材３０は、後記する垂木部材５０上に配置され、隣り合う垂木部材５０，５０，５０に架け渡されている。軒先部材３０は、中空パイプ３１と緊張ワイヤ３２とを備えてなる。中空パイプ３１は、中空パイプ１１，２１と同様のものが用いられている。緊張ワイヤ３２は、緊張ワイヤ１２，２２と同様ものが用いられており、緊張状態で中空パイプ３１の中に挿入されている。緊張ワイヤ３２は、中空パイプ３１の両端から外側に延出しており、滑車（図示せず）を介して下方に曲げられ垂下している。緊張ワイヤ３２の下端部は、建築物の基礎に接続されている。緊張ワイヤ３２は、手動式のホイスト（図示せず）にて巻き取られて緊張されている。
【００２０】
中間部材４０は、母屋部材２０に沿って母屋部材２０と軒先部材３０の中間に配置される部材である。中間部材４０は、母屋部材２０および軒先部材３０に平行である。本実施形態では、中間部材４０は、母屋部材２０と軒先部材３０の中間に一箇所だけ設けられているが、屋根のこう配方向の長さが長い場合には複数設けてもよい。中間部材４０は、後記する垂木部材５０上に配置され、隣り合う垂木部材５０，５０，５０に架け渡されている。中間部材４０は、中空パイプ４１と緊張ワイヤ４２とを備えてなる。中空パイプ４１は、中空パイプ１１，２１，３１と同様で、農業用のビニールハウスに用いられる鉄製パイプであって、表面に亜鉛メッキ等の防錆加工が施されている。中空パイプ４１は、たとえば外径１９ｍｍまたは２２ｍｍのものが用いられている。緊張ワイヤ４２は、緊張ワイヤ１２，２２，３２と同様で、金属製の撚り線ワイヤからなり、緊張状態で中空パイプ４１の中に挿入されている。緊張ワイヤ４２は、中空パイプ４１の両端から外側に延出している。延出した緊張ワイヤ４２は、滑車（図示せず）を介して下方に曲げられ垂下している。緊張ワイヤ４２の下端部は、建築物の基礎に接続されている。緊張ワイヤ４２は、手動式のホイスト（図示せず）にて巻き取られて緊張されている。
【００２１】
垂木部材５０は、棟部材１０に交差する方向（本実施形態では直交する方向）に延在する部材である。垂木部材５０は、母屋部材２０、軒先部材３０および中間部材４０の下側に位置し、各部材２０，３０，４０を支持する。垂木部材５０は、緊張状態で設置された緊張ワイヤ５１にて構成されている。緊張ワイヤ５１は、金属製の撚り線ワイヤからなる。垂木部材５０は、両端部が足場２に係止されており、中間部は、棟部材１０に架け渡されている。垂木部材５０は、手動式のホイスト（図示せず）にて巻き取られて緊張されている。本実施形態では、垂木部材５０は、棟部材１０および軒先部材３０の両端位置と中間位置の三箇所に設けられている。なお、垂木部材５０の設置位置および個数は、棟部材１０の長さに応じて適宜設定されるものである。棟部材１０の長さが短い場合には、垂木部材５０は両端位置の二箇所のみに設けられ、棟部材１０の長さが長い場合には、両端の垂木部材５０，５０の間に、複数の垂木部材５０が設けられる。棟部材１０の両端位置の垂木部材５０は、母屋部材２０の中空パイプ２１の端部に、クリップ等の結合治具を介して緊結されている。棟部材１０の中間位置の垂木部材５０は、母屋部材２０の中空パイプ２１には固定されていない。中空パイプ２１の中間部が自重で下り、垂木部材５０に密着している。垂木部材５０が母屋部材２０の鉛直荷重を受けている。
【００２２】
ビニールフィルム６０は、屋根面を覆う部材である。具体的には、ビニールフィルム６０は、母屋部材２０、軒先部材３０および両端の垂木部材５０，５０で囲まれた屋根面を覆う。ビニールフィルム６０は、農業用ビニール素材（農業用ビニールハウスに用いられるシート状のフィルム）、たとえば農業用のポリオレフィン系フィルム、ポリ塩化ビニル製フィルムまたはフッ素樹脂フィルムからなる。農業用ビニール素材は、前記材質に限定されるものではなく、他の材質であってもよい。ビニールフィルム６０は、軽量で柔軟性および耐久性が高く、耐風強度（耐風圧）が高い。ビニールフィルム６０は、下地フレームと組み合わさった状態で、最大風速５０ｍ／ｓに対抗可能である。ビニールフィルム６０は透明である。なお、ビニールフィルム６０は、遮光性を備えた色付きのものであってもよい。ビニールフィルム６０は、屋根面の勾配上流側と覆う上側フィルム６１と、屋根面の勾配下流側を覆う下側フィルム６２とに分割されている。上側フィルム６１は、母屋部材２０、中間部材４０および両端の垂木部材５０，５０で囲われた部分を覆う。下側フィルム６２は、中間部材４０、軒先部材３０および両端の垂木部材５０，５０で囲われた部分を覆う。上側フィルム６１の下流端と、下側フィルム６２の上流端とは、一部が重合している。重合部では、上側フィルム６１が下側フィルム６２の上側に位置しており、上側フィルム６１を流れた雨水が、下側フィルム６２の上に流れて、重合部の隙間から内側に浸水しないようになっている。強風時には、上側フィルム６１と下側フィルム６２との間に隙間が発生して、下側からの空気が外側へ逃げるようになっている。
【００２３】
図４の（ａ）および図３に示すように、ビニールフィルム６０は、断面Ｃ型の固定部材６３を介して、母屋部材２０に固定される。固定部材６３は、可撓性を有しており、中心角が１８０度以上の断面円弧形状を呈している。固定部材６３の内径は、中空パイプ２１の外径と同等である。ビニールフィルム６０は、中空パイプ２１の上側に敷設されている。固定部材６３は、中空パイプ２１をビニールフィルム６０とともに外側から挟み込む。つまり、ビニールフィルム６０は、中空パイプ２１と固定部材６３とで挟まれて、固定されている。固定部材６３は、隣り合う垂木部材５０，５０間に、所定間隔で三箇所設けられている。なお、固定部材６３の個数は、母屋部材２０の長さに応じて適宜設定される。なお、図３の左半分は、固定部材６３でビニールフィルム６０を固定している部分の断面を示し、右半分は、固定部材６３のない部分の断面を示している。
【００２４】
ビニールフィルム６０は、軒先部材３０および中間部材４０に対しても、図４の（ａ）と同様に、固定部材６３を介して固定される。なお、中間部材４０の上では、上側フィルム６１と下側フィルム６２とが重合しており、上側フィルム６１および下側フィルム６２の二枚がまとめて、中空パイプ４１と固定部材６３とで挟まれている。
【００２５】
ビニールフィルム６０を垂木部材５０に固定する際には、図４の（ｂ）に示すように、垂木部材５０の緊張ワイヤには、短尺の固定用パイプ６４が環装されている。固定用パイプ６４は、ビニールハウス用の鉄製パイプを所定長さで切断したものであって、固定部材６３の長さと略同等か若干長い。固定用パイプ６４の外径は、固定部材６３の内径と同等である。ビニールフィルム６０は、固定用パイプ６４の上側に敷設されている。固定部材６３は、固定用パイプ６４をビニールフィルム６０とともに外側から挟み込む。つまり、ビニールフィルム６０は、固定用パイプ６４と固定部材６３とで挟まれて、固定されている。固定部材６３と固定用パイプ６４は、母屋部材２０と中間部材４０との間の中間部と、中間部材４０と軒先部材３０との間の中間部に、それぞれ一つずつ設けられている。
【００２６】
図２および図５に示すように、屋根部材７０は、棟部材１０と母屋部材２０との間（ビニールフィルム６０が敷設されていない部分）を塞ぐ部材である。屋根部材７０は、風圧によって外側に開閉可能である。屋根部材７０は、プラスチック等の軽量な樹脂素材にて構成されており、断面が逆Ｖ字状の板状を呈している。屋根部材７０は、棟部材１０の長手方向に分割して複数形成されている。屋根部材７０の頂部７１は、棟部材１０の上部に係止されており、紐７２にて棟部材１０に縛り付けられている。屋根部材７０の頂部７１の折り目は、屋根部材７０の内面に下側から所定以上の風圧が作用した際に、広がるように構成されている（図５参照）。具体的には、図５の白抜き矢印の方向に風圧が作用して、その上部の屋根部材７０が開くと、ドットで示した部分に風抜き孔が形成される。屋根部材７０の下端部は、ビニールフィルム６０の上端部と重合している。重合部では、屋根部材７０が上側フィルム６１の上側に位置しており、屋根部材７０を流れた雨水が上側フィルム６１の上に流れるようになっている。屋根部材７０の頂部７１には、紐７２が貫通する孔（図示せず）が形成されている。
【００２７】
図示はしないが、母屋部材２０、中間部材４０および軒先部材３０間に、ビニール素材からなる補強バンドが架け渡されている。補強バンドは、緊張状態でビニールフィルム６０を挟むように配置されていて、ビニールフィルム６０の風によるバタつきを軽減している。なお、補強バンドの素材は、ビニール素材に限定されるものではなく、ゴム等の弾性部材であってもよい。
【００２８】
次に、前記構成の仮設屋根構造１の構築方法を説明する。図６に示すように、基礎３が構築された後に、基礎３の上に、仮設屋根構造１を設置する。仮設屋根構造１は、傾斜していない平らな状態で敷設する。仮設屋根構造１を敷設するに際しては、まず、棟部材１０を設置した上に、垂木部材５０，５０，５０を交差して設置する。その後、垂木部材５０，５０，５０上に、母屋部材２０、中間部材４０および軒先部材３０を設置する。このとき、各部材の両端部は固定せずに、吊り上げ可能な状態としておく。その後、母屋部材２０、中間部材４０、軒先部材３０および垂木部材５０上にビニールフィルム６０を敷設して固定する。ビニールフィルム６０は、勾配方向に弛んだ状態で敷設する。この時点では、ビニールフィルム６０は、固定部材６３を介して母屋部材２０、中間部材４０および軒先部材３０のみに固定して、垂木部材５０には固定しない。
【００２９】
図７に示すように、棟部材１０に、縦ワイヤ１３ａを取り付けて、その上端に水平ロープ１４を架け渡す。水平ロープ１４の両端を吊り上げて、棟部材１０を吊り上げる。このとき、垂木部材５０は、棟部材１０に係止されて、中央部が吊り上げられる。垂木部材５０の両端部は、一定圧で保持しながら、吊り上げられた長さ分、送り出す。垂木部材５０の吊り上げに伴って、母屋部材２０と中間部材４０も持ち上げられる。垂木部材５０が所定の勾配に傾斜すると、ビニールフィルム６０は、弛みがなくなり、平らに張った状態となる。ここで、固定部材６３を介してビニールフィルム６０を垂木部材５０には固定する。垂木部材５０には、予め固定用パイプ６４が環装されている。固定用パイプ６４を所定の位置（母屋部材２０と中間部材４０の中間部、および中間部材４０と軒先部材３０の中間部）に移動させて、ビニールフィルム６０の上から固定部材６３を固定用パイプ６４に装着する。
【００３０】
また、ビニールフィルム６０の固定と前後して、屋根部材７０を設置する。屋根部材７０は、頂部７１を棟部材１０の上に配置し、下側から紐７２を用いて棟部材１０に縛り付ける（図２および図５参照）。これにて、仮設屋根構造１の屋根形状が完成する。
【００３１】
その後、仮設屋根構造１を所定の高さまで吊り上げて、縦ロープ１３ａの上端に吊ワイヤ１３ｂを挿通させて、吊ワイヤ１３ｂを両側の足場２に接続する（図１参照）。これによって、仮設屋根構造１が足場２に固定されて、仮設屋根構造１の構築が完了する。
【００３２】
次に、台風等の強風時に仮設屋根構造１のビニールフィルム６０を束ねた状態を説明する。強風になると予想される場合には、図８に示すように、垂木部材５０に固定している固定部材を取り外すとともに、母屋部材２０および中間部材４０の緊張ワイヤ２２，４２の緊張を解除する。そして、母屋部材２０と中間部材４０を軒先部材３０側へ移動させつつ、ビニールフィルム６０を折り畳む。そして、母屋部材２０、中間部材４０、軒先部材３０およびビニールフィルム６０を、図示しないゴムバンド等にて束ねるとともに、足場２に固定する。本実施形態によれば、以上のような簡単な作業によって、仮設屋根構造１の台風養生が完了する。また、元の状態に戻すのも容易である。
【００３３】
本実施形態の仮設屋根構造１によれば、棟部材１０（母屋部材２０、軒先部材３０、中間部材４０）の緊張ワイヤ１２（２２，３２，４２）が曲げ荷重に対抗するので、中空パイプ１１（２１，３１，４１）が座屈し難くなる。したがって、骨組の構造強度を大きくできるとともに、仮設屋根構造１の耐風圧を大きくできる。
【００３４】
また、棟部材１０と母屋部材２０間には、風圧によって外側に開閉可能な屋根部材７０設けられているので、強風時には屋根部材７０が開くことで下側からの風を外部に逃がすことができる。したがって、耐風圧をより一層大きくすることができる。なお、屋根部材７０が開いたときには、下側から風が吹き出しているので、雨水が建物側に吹き込むことは少ない。
【００３５】
さらに、ビニールフィルム６０は、農業用のポリオレフィン系フィルム、ポリ塩化ビニル製フィルムまたはフッ素樹脂フィルムからなるので、ビニールフィルム６０の延び量が大きく破れにくい。したがって、耐風圧をより一層大きくすることができるとともに、耐久性も高くできる。さらに、風によるバサツキ音の発生を低減させることができる。また、ビニールフィルム６０は、上側フィルム６１と下側フィルム６２とに分割されており、強風時には、上側フィルム６１と下側フィルム６２との重合部に隙間ができて、風を逃がすことができるので、耐風圧をより一層大きくすることができる。
【００３６】
また、母屋部材２０の中空パイプ２１、中間部材４０の中空パイプ４１、軒先部材３０の中空パイプ３１および固定用パイプ６４は、ビニールハウス用の鉄製パイプが用いられいる。さらに固定部材６３もビニールハウス用のものを用いているので、ビニールフィルム６０の固定を容易に行うことができる。さらに、固定部材６３およびビニールフィルム６０の取外しも容易であるので、各部材の再利用を行うことができる。
【００３７】
さらに、棟部材１０の緊張ワイヤ１２は、両端が基礎３に接続された状態で緊張されているので、棟部材１０が確実に固定されるので、仮設屋根構造１が吹き上げられるのを防止できる。本実施形態では、母屋部材２０の緊張ワイヤ２２、軒先部材３０の緊張ワイヤ３２および中間部材４０の緊張ワイヤ４２の両端も基礎３に接続されているので、仮設屋根構造１の固定強度をさらに大きくできる。
【００３８】
また、垂木部材５０の緊張ワイヤの上端部は、上方に引き上げられた棟部材１０に係止され、垂木部材５０の緊張ワイヤの下端部は、建築物の周囲に形成された足場２に係止されているので、垂木部材５０を所望の角度で配置することができる。
【００３９】
以上、本発明を実施するための形態について説明したが、本発明は前記実施の形態に限定されず、本発明の趣旨を逸脱しない範囲で適宜設計変更が可能である。前記実施形態では、ビニールフィルム６０は、透明なものを採用したが、色付きのものとしてもよい。このようにすれば、日光を遮断して、熱射病対策を行うことができるとともに、作業環境を向上させることができる。
【００４０】
また、前記実施形態では、母屋部材２０の緊張ワイヤ２１の両端は基礎３に固定しているが、確実に固定できる場所であれば、他の部分に固定してもよい。たとえば、基礎３に緊結された足場２に、緊張ワイヤ２１の両端部を接続してもよい。
【符号の説明】
【００４１】
１      仮設屋根構造
２      足場
３      基礎
１０    棟部材
１１    中空パイプ
１２    緊張ワイヤ
２０    母屋部材
２１    中空パイプ
２２    緊張ワイヤ
３０    軒先部材
３１    中空パイプ
３２    緊張ワイヤ
４０    中間部材
４１    中空パイプ
４２    緊張ワイヤ
５０    垂木部材
５１    緊張ワイヤ
６０    ビニールフィルム
６３    固定部材
６４    固定用パイプ
７０    屋根部材
【図１】
2018096120.tif 000003
【図２】
2018096120.tif 000004
【図３】
2018096120.tif 000005
【図４】
2018096120.tif 000006
【図５】
2018096120.tif 000007
【図６】
2018096120.tif 000008
【図７】
2018096120.tif 000009
【図８】
2018096120.tif 000010